(57)【要約】      （修正有）【課題】自分の操作によって進退部が本体から進退したこと以外に、第三者の操作によって進退部が本体から進退したことを検出できる表示装置を提供する。【解決手段】表示窓２３と、本体に対して進退可能な進退部４４と、インジケータ５４と、インジケータ５４の移動規制を解除する操作部とを有し、インジケータ５４は、第１方向（縦方向Ｙにおける上方側から下方側）へ並ぶ少なくとも第１表示部５１と第２表示部５２と第３表示部５３とを有している。進退部４４が本体から進退することによってインジケータ５４が第１方向へ移動して第１表示部５１、第２表示部５２、及び第３表示部５３が順に表示窓２３から露出する構成とした。【選択図】図２
2018031174.tif 000002
【特許請求の範囲】
【請求項１】
表示窓と、本体に対して進退可能な進退部と、インジケータとを含む表示装置において、
前記インジケータの移動規制を解除する操作部をさらに有し、
インジケータは、第１方向へ並ぶ少なくとも第１表示部と第２表示部と第３表示部とを有し、
前記進退部が前記本体から進退することによって前記インジケータが前記第１方向へ移動して前記第１表示部、前記第２表示部、及び前記第３表示部が順に前記表示窓から露出し、
前記第３表示部が前記表示窓から露出した状態において、前記進退部が前記本体から進退しても前記インジケータの前記第１方向への移動が規制され、
前記操作部を操作することによって前記インジケータの移動規制が解除されて前記インジケータが前記第１方向と異なる方向へ移動することを特徴とする表示装置。
【請求項２】
表示窓と、本体に対して進退可能な進退部と、インジケータとを含む表示装置において、
前記本体は、固定壁及び前記固定壁と対向する可動壁とのうちの一方である第１壁に取り付けられ、
前記進退部は、前記固定壁と前記可動壁とのうちの他方である第２壁に向かって延び、前記第２壁に進退可能に当接し、
前記インジケータは、少なくとも第１表示部と第２表示部と第３表示部とを有し、
前記表示窓は、前記第１表示部、前記第２表示部、及び前記第３表示部のうちのいずれか１つの表示部を露出し、
前記固定壁及び前記可動壁が対向し、且つ前記表示窓から前記第１表示部が露出している状態において、前記固定壁と前記可動壁とが非対向状態となって前記進退部が前記本体から進退すると、前記表示窓から前記第２表示部が露出し、
その後、前記固定壁と前記可動壁とが対向状態となっても、前記表示窓から前記第２表示部が露出した状態を維持し、
さらにその後、前記固定壁と前記可動壁とが非対向状態となったとき、前記表示窓から前記第３表示部が露出することを特徴とする表示装置。
【請求項３】
前記インジケータの移動規制を解除する操作部をさらに有し、
前記表示窓から前記第３表示部および前記第２表示部のいずれか一方が露出している状態において、前記インジケータの移動規制を解除し、前記表示窓から前記第１表示部を表示させる操作部を有する請求項２に記載の表示装置。
【請求項４】
前記操作部は、前記本体が有するキーシリンダと、前記キーシリンダの旋回を可能とするキーとを備える請求項１または３に記載の表示装置。
【発明の詳細な説明】
【技術分野】
【０００１】
本発明は、表示装置に関する。
【背景技術】
【０００２】
従来、扉が開くのを許容する解錠状態と、扉が開くのを規制する施錠状態とに変化し、施錠状態であるのか解錠状態であるのかを表示する表示部を有する施錠装置は公知である。例えば、特許文献１には、上記した表示部を有する施錠装置が開示されている。
【先行技術文献】
【特許文献】
【０００３】
【特許文献１】特開２０１０−１４４４１７号公報（ＪＰ２０１０−１４４４１７Ａ）
【発明の概要】
【発明が解決しようとする課題】
【０００４】
近年、正規の鍵を有する者によって以下のような事件が発生している。例えば、結婚をしていた者同士が、離婚によって一方が別居することとなったが、その別居者が正規の鍵を有し、離婚後もその鍵を使用して昔の家に不法に侵入し、かつての配偶者を監視するような事件が発生している。
【０００５】
そこで、自分の操作以外に、第三者の操作を検出できる表示装置の開発が望まれていた。
【０００６】
本発明が課題とするところは、自分の操作以外に、第三者の操作を検出できる表示装置を提供することにある。
【課題を解決するための手段】
【０００７】
前記課題を解決するための本発明が対象とするのは、表示窓と、本体に対して進退可能な進退部と、インジケータとを含む表示装置に関する。
【０００８】
本発明は、第１発明と第２発明とを含む。第１発明は、前記インジケータの移動規制を解除する操作部をさらに有し、インジケータは、第１方向へ並ぶ少なくとも第１表示部と第２表示部と第３表示部とを有し、前記進退部が前記本体から進退することによって前記インジケータが前記第１方向へ移動して前記第１表示部、前記第２表示部、及び前記第３表示部が順に前記表示窓から露出し、前記第３表示部が前記表示窓から露出した状態において、前記進退部が前記本体から進退しても前記インジケータの前記第１方向への移動が規制され、前記操作部を操作することによって前記インジケータの移動規制が解除されて前記インジケータが前記第１方向と異なる方向へ移動することを特徴とする。
【０００９】
第２発明は、前記本体は、固定壁及び前記固定壁と対向する可動壁とのうちの一方である第１壁に取り付けられ、前記進退部は、前記固定壁と前記可動壁とのうちの他方である第２壁に向かって延び、前記第２壁に進退可能に当接し、前記インジケータは、少なくとも前記第１表示部と前記第２表示部と前記第３表示部とを有し、前記表示窓は、前記第１表示部、前記第２表示部及び前記第３表示部のうちのいずれか１つの表示部を露出し、前記固定壁及び前記可動壁が対向し、且つ前記表示窓から前記第１表示部が露出している状態において、前記固定壁と前記可動壁とが非対向状態となって前記進退部が前記本体から進退すると、前記表示窓から前記第２表示部が露出し、その後、前記固定壁と前記可動壁とが対向状態となっても、前記表示窓から前記第２表示部が露出した状態を維持し、さらにその後、前記固定壁と前記可動壁とが非対向状態となったとき、前記表示窓から前記第３表示部が露出することを特徴とする。
【発明の効果】
【００１０】
第１発明に係る表示装置では、進退部が本体から進退することによってインジケータが第１方向へ移動して第１表示部、第２表示部、及び第３表示部が順に表示窓から露出するため、使用者による進退部の進退の回数と、表示窓から露出する表示部とが対応していなければ、第三者が操作したことが分かる。
【００１１】
第２発明に係る表示装置では、固定壁及び可動壁が対向し、且つ表示窓から第１表示部が露出している状態において、固定壁と可動壁とが非対向状態となって進退部が前記本体から進退すると、表示窓から第２表示部が露出し、その後、固定壁と可動壁とが対向状態となっても、表示窓から第２表示部が露出した状態を維持し、さらにその後、固定壁と可動壁とが非対向状態となったとき、表示窓から第３表示部が露出するため、使用者による進退部の進退の回数と、表示窓から露出する表示部とが対応していなければ、第三者が操作したことが分かる。
【図面の簡単な説明】
【００１２】
図面は、本開示に係る本発明の特定の実施の形態を示し、発明の不可欠な構成ばかりでなく、選択的及び好ましい実施の形態を含む。
【図１】本発明に係る表示装置を取り付けた扉を示す正面図。
【図２】正面側からみた表示装置の分解斜視図。
【図３】背面側からみた表示装置の分解斜視図。
【図４】図３の矢視ＩＶ−ＩＶ線切断面を示す断面図。
【図５】表示装置の正面図。
【図６】図５の矢視ＶＩ−ＶＩ線切断面を示す断面図。
【図７】図５の矢視ＶＩＩ−ＶＩＩ線切断面を示す断面図。
【図８】（ａ）移動部材の背面図。（ｂ）移動部材の平面図。
【図９】表示装置の作動を順に示す説明図。
【図１０】表示装置の作動を順に示す説明図。
【図１１】表示装置の作動を順に示す説明図。
【図１２】表示装置の作動を順に示す説明図。
【図１３】表示装置の作動を順に示す説明図。
【図１４】表示装置の作動を順に示す説明図。
【図１５】表示装置の作動を順に示す説明図。
【図１６】表示装置の作動を順に示す説明図。
【発明を実施するための形態】
【００１３】
添付の図面を参照し、本発明に係る表示装置の詳細を説明すると、以下のとおりである。また、以下の実施形態は、本発明の欠くことのできない要件を含む他に、選択的に採用することのできる要件及び適宜に組み合わせることのできる要件を含んでいる。
【００１４】
図１は、本発明に係る実施形態の表示装置１０の本体Ｂを取り付けた扉（可動壁）１を示す斜視図であり、図２は、前方側からみた表示装置１０の分解斜視図であり、図３は、後方側からみた表示装置１０の分解斜視図である。図１〜図３における双頭矢印Ｘ，Ｙ，Ｚは、扉１と枠２及び表示装置１０における互いに交差（直交）する横方向Ｘと、縦方向Ｙと、前後方向Ｚとを示している。扉１は、図１中、実線で示すように、枠（固定壁）２に対して開いた状態と、図１中、仮想線で示すように、閉じた状態とに変化する。扉１および枠２は、例えば、住宅用のものである。また、扉１が枠２に対して開くのを許容する解錠状態と、扉１が枠２に対して開くのを規制する施錠状態とに変わる不図示の施錠装置が、扉１に取り付けてある。
【００１５】
扉１が枠２に対して閉じた状態では、可動壁である扉１と、固定壁である枠２とが対向する対向状態となる一方、扉１が枠２に対して開いた状態では、可動壁である扉１と、固定壁である枠２とが対向しない非対向状態となる。枠２は、扉１と枠２との対向状態において、表示装置１０が有する軸部材４０の進退部４４に当接する固定板２ａを有している。
【００１６】
表示装置１０は、筐体２０と、筐体２０との間で内部空間１１を画定する蓋３０とを有する本体Ｂを備えている（図６および図７参照）。表示装置１０は、本体Ｂの内部空間１１から外部へ向けて一部が突出する軸部材４０と、本体Ｂの内部空間１１の内部に位置する、表示板５０と、移動部材６０とを有している。本体Ｂは、例えば、扉１の屋内側に取り付けてある。
【００１７】
筐体２０は、前面板２１と、前面板２１の周縁から後方へ向けて突出する側板２２とを有している。側板２２によって、上方に位置する側面２２ａと、下方に位置する側面２２ｂと、両側に位置する側面２２ｃ，２２ｄが画成されている。前面板２１は、図２に示すように、矩形状の表示窓２３を有している。前面板２１の背面側は、図３および図４に示すように、縦方向Ｙへ延び、後面側から前面側へ向けて凹み、表示板５０および移動部材６０が縦方向Ｙへ移動するのを案内する案内溝２７を形成してある。前面板２１の背面側は、前方側から後方側へ向けて突出する突出部２８を２つ有している。２つの突出部２８は、横方向Ｘにおいて、案内溝２７に隣接するようにそれぞれ配置してあり、かつ、縦方向Ｙにおいて、離隔するように配置してある。突出部２８の下方側は、下方側から上方側へ向けて前後方向Ｚの長さ寸法（突出長さ）Ｌ１が徐々に増加する傾斜部分２８ａをそれぞれ有している。側面２２ａ，２２ｂ，２２ｃ，２２ｄを画成する側板２２のうち、横方向Ｘにおいて互いに対向する一対の側面２２ｃ，２２ｄを画成する側板の一方の側板（側面２２ｃを画成する側板）には、軸部材４０の進退部４４が貫通する切欠２６を形成してある一方、他方の側板（側面２２ｄを画成する側板）には切欠２６を形成していない。
【００１８】
蓋３０は、前後方向Ｚの寸法が小さい肉薄部３１と、肉薄部３１よりも前後方向Ｚの寸法が大きい肉厚部３２とを有している。肉厚部３２には、軸部材４０が横方向Ｘへのみスライド移動するように、軸部材４０の係合板４３と係合する係合凹部３３と、横方向Ｘにおいて、係合凹部３３に隣接するように配置し、軸部材４０の軸部４１の一方の端部が横方向Ｘに貫通する貫通孔３４とを形成してある（図７参照）。
【００１９】
軸部材４０は、図２，図３、および図７に示すように、横方向Ｘへ延びる軸部４１と、軸部４１から径外方向へ分岐して横方向Ｘへ延びる係合凸部４２と、軸部４１の長さ方向（横方向Ｘ）の途中に位置するとともに軸部４１と係合凸部４２とを連結し、蓋３０の係合凹部３３に係合する係合板４３とを有する。また、軸部４１の一方の先端には、本体Ｂの内部空間１１から外部へ突出して、扉１と枠２との対向状態において、枠２へ向かって延び、かつ、枠２に対して進退可能に当接される進退部４４を形成してある。軸部４１の係合板４３と蓋３０の肉厚部３２との間には、図７に示すように、進退部４４の基端が、筐体２０の内部空間１１から外部へ突出するように付勢する第１バネ１２を配置してある。第１バネ１２は、軸部４１の外周面に位置するコイルバネである。
【００２０】
表示板５０は、前後方向Ｚにおいて、筐体２０と蓋３０との間の内部空間１１に配置してある（図６及び図７参照）。より具体的には、表示板５０は、縦方向Ｙへ移動可能な態様で内部空間１１に配置してある。表示板は、図６に示すように、その前面側における縦方向Ｙの一方の端部（上方側の端部）に配置され、緑色に着色された第１表示部５１と、縦方向Ｙにおいて、第１表示部５１に隣接して配置され、青色に着色された第２表示部５２と、縦方向Ｙにおける他方の端部（下方側の端部）であって、第２表示部５２に隣接して配置され、赤色に着色された第３表示部５３とを有するインジケータ５４を備えている。換言すれば、インジケータ５４の第１表示部５１と第２表示部５２と第３表示部５３とは、縦方向Ｙの上方側から下方側（第１方向）に沿って列をなすように順に配置してある。
【００２１】
表示板５０の後面側には、図３および図７に示すように、移動部材６０を横方向Ｘへ移動可能な態様で収容する空間部５５を形成してある。表示板５０の下部は、切欠２６を有さない側面２２ｄを画成する側板に近接するように横方向Ｘへ突出するレバー５８を有している（図２および図３参照）。表示板５０の下端と、下方に位置する側面２２ｂを画成する側板との間には、表示板５０を縦方向Ｙの一方の端部（図６における上方側）へ付勢する第２バネ１３を配置してある。第２バネ１３は、表示板５０の下端に位置する凹部５９（図６参照）に嵌るように配置されたコイルバネである。
【００２２】
移動部材６０は、図３、および図７に示すように、表示板５０の空間部５５に、横方向Ｘへスライド移動可能な態様で配置してある。移動部材６０は、図２、図３、および図８に示すように、縦方向Ｙにおいて互いに対向する第１壁６９ａ，６９ｂと、第１壁６９ａ，６９ｂの前方側に位置し、これら第１壁６９ａ，６９ｂを連結する第２壁６９ｃと、横方向Ｘにおいて係合凸部４２から離れた第１壁６９ａ，６９ｂの側部を連結する第３壁６９ｄとを有する。
【００２３】
移動部材６０は、軸部材４０の係合凸部４２とそれぞれ係合可能である、第１係合凹部６１、第２係合凹部６２、および第３係合凹部６３とを有する。さらに、移動部材６０は、第１係合凹部６１および第２係合凹部６２の間に位置する第１隔壁部６４ａと、第２係合凹部６２および第３係合凹部６３の間に位置する第２隔壁部６４ｂとを有する。第１係合凹部６１と第２係合凹部６２と第３係合凹部６３とは、縦方向Ｙに沿って列をなすように順に配置してある。
【００２４】
移動部材６０は、さらに、横方向Ｘにおいて、第１隔壁部６４ａおよび第２隔壁部６４ｂの少なくとも一方が存在する隔壁存在領域６５ａと、第１隔壁部６４ａおよび第２隔壁部６４ｂのいずれもが存在しない隔壁非存在領域６５ｂとを有している。隔壁存在領域６５ａは、横方向Ｘにおいて、第３壁６９ｄが位置する一方側に位置し（図８における右側）、隔壁非存在領域６５ｂは、横方向Ｘにおいて、切欠２６を有して側面２２ｃを画成する側板が位置する他方側に位置する（図８における左側）。
【００２５】
第１係合凹部６１、第２係合凹部６２、および第３係合凹部６３のいずれか一つには、軸部材４０の係合凸部４２が係合する。第１係合凹部６１、第２係合凹部６２、および第３係合凹部６３のいずれか１つと、軸部材４０の係合凸部４２とが係合した状態では、係合凸部４２の先端は、隔壁存在領域６５ａに位置する（図９，図１０，図１１，図１３，図１４，図１６）。横方向Ｘにおいて、表示板５０と移動部材６０との間には、図２、および図３に示すように、第１隔壁部６４ａおよび第２隔壁部６４ｂが、切欠２６を有して側面２２ｃを画成する側板に近接するように移動部材６０を付勢する第３バネ１４を配置してある。
【００２６】
表示板５０と移動部材６０との間には、互いに係合可能な係合突部６７と係合溝部５７とを設けてあり、係合突部６７と係合溝部５７とが係合していない状態では、第３バネ１４の付勢力によって、移動部材６０は、切欠２６を有して側面２２ｃを画成する側板に近接するとともに、表示板５０の空間部５５の内部に、移動部材６０の係合突部６７が位置する（図９，図１０，図１３，図１６参照）。一方、係合突部６７と係合溝部５７とが係合した状態では、第３バネ１４が横方向Ｘへ圧縮された状態で表示板５０に移動部材６０が固定されるとともに、表示板５０の横方向Ｘにおける係合溝部５７が位置する一方の端部において、移動部材６０の係合突部６７が、表示板５０から横方向Ｘの外側に突出する（図１１，図１２，図１４，図１５参照）。
【００２７】
表示装置１０は、図１〜図３に示すように、操作部８０を有している。操作部８０は、本体Ｂが有し、前後方向Ｚへ延びるキーシリンダ８１と、キーシリンダ８１の鍵穴８２に、先端を挿入可能であって、キーシリンダ８１の旋回を可能するキー８３とを有している。キーシリンダ８１は、内部空間１１に位置し、キーシリンダ８１の軸心８１ｘに対して径外方向へ延びるアンロック部材８４とを有している。キー８３を旋回することによってキーシリンダ８１を軸心８１ｘに対して周方向へ旋回すると、アンロック部材８４が軸心８１ｘに対して周方向へ旋回する。アンロック部材８４が、軸心８１ｘに対して周方向へ旋回すると、インジケータ５４のレバー５８に当接する。
【００２８】
このような表示装置１０を使用する場合、例えば、扉１と枠２との対向状態から、先ず、外出しようとする使用者が、枠２に対して扉１を開いて、扉１と枠２とを非対向状態にする。すると、第１バネ１２（図７参照）の付勢力によって、進退部４４が本体Ｂの内部空間１１から進出した状態となる（図９参照）。
【００２９】
次に、例えば、表示窓２３から、第２表示部５２および第３表示部５３のいずれか一方が露出している状態（図９には、表示板５０および移動部材６０が最上方位置に配置され、赤色に着色された第３表示部５３が表示窓２３から露出している状態を示している）において、使用者が、鍵穴８２にキー８３を挿入してから、キー８３を旋回する。
【００３０】
すると、キー８３の旋回方向Ｒと同じ方向へアンロック部材８４も旋回し、アンロック部材８４の先端が、表示板５０のレバー５８に当接する。その後、さらに、キー８３の旋回を継続すると、アンロック部材８４も旋回を継続し、第２バネ１３の付勢力に抗して、レバー５８を含む表示板５０と、縦方向Ｙにおいて表示板５０に固定された移動部材６０とが下方へ移動する。係合凸部４２の先端が、第２隔壁部６４ｂに当接すると、第３バネ１４の付勢力に抗して移動部材６０のみが横方向Ｘにおいて、図９における右側へ移動する。さらに、キー８３を旋回すると、アンロック部材８４の旋回も継続し、表示板５０および移動部材６０が、縦方向Ｙにおける下方へ移動し、係合凸部４２の先端が、第２隔壁部６４ｂを乗り越えると、第３バネ１４の付勢力によって、移動部材６０のみが横方向Ｘにおいて、図９における左側へ移動し、係合凸部４２と第２係合凹部６２とが係合する。その後、キー８３の旋回をさらに継続すると、アンロック部材８４も旋回を継続し、第２バネ１３の付勢力に抗して、表示板５０および移動部材６０が、縦方向Ｙにおける下方へ移動する。係合凸部４２の先端が、第１隔壁部６４ａと当接すると、第３バネ１４の付勢力に抗して移動部材６０のみが横方向Ｘにおいて、図９における右側へ移動する。さらに、キー８３を旋回すると、アンロック部材８４の旋回も継続し、表示板５０および移動部材６０が、縦方向Ｙにおける下方へ移動し、係合凸部４２の先端が、第１隔壁部６４ａを乗り越えると、第３バネ１４の付勢力によって、移動部材６０のみが横方向Ｘにおいて、図９における左側へ移動し、係合凸部４２を第１係合凹部６１とが係合するとともに、表示板５０が、下方に位置する側面２２ｂを画成する側板に当接し、インジケータ５４の下方への移動、およびキー８３の旋回が規制され、インジケータ５４が最下方に位置することとなって表示装置１０が初期状態となる。
【００３１】
初期状態の表示装置１０では、図１０に示すように、移動部材６０は、切欠２６を有して側面２２ｃを画成する側板に近接して係合突部６７が表示板５０の空間部５５の内部に位置し、軸部材４０の進退部４４の基端が本体Ｂの内部空間１１から進出し、緑色に着色された第１表示部５１が表示窓２３から露出し、軸部材４０の係合凸部４２と、移動部材６０の第１係合凹部６１とが係合している。
【００３２】
この状態から、屋外に出た使用者が、枠２に対して扉１を閉め、扉１と枠２とを対向状態にする。すると、図１１に示すように、進退部４４と、固定壁である枠２の固定板２ａとが当接し、第１バネ１２（図２参照）の付勢力に抗して、軸部材４０の進退部４４の基端が本体Ｂの内部空間１１に退行し、移動部材６０は、切欠２６を有して側面２２ｃを画成する側板から離れ、係合突部６７が表示板５０の空間部５５の外部に突出する。この状態においても、表示板５０および移動部材６０は、最下方に位置し、緑色に着色された第１表示部５１が表示窓２３から露出している。その後、使用者は、正規の鍵を使用して不図示の施錠装置を施錠状態にする。
【００３３】
次いで、第三者が正規の鍵を使用して施錠装置を解錠状態とした後、枠２に対して扉１を開け、扉１と枠２とを非対向状態にする。すると、図１２に示すように、第１バネ１２（図２参照）の付勢力によって、軸部材４０の進退部４４の基端が、本体Ｂの内部空間１１から進出する。このため、軸部材４０の係合凸部４２が、隔壁非存在領域６５ｂに位置することとなる。これにより、図１３に示すように、第２バネ１３の付勢力によって、移動部材６０およびインジケータ５４を含む表示板５０が上方へ移動する。移動部材６０および表示板５０が上方へ移動すると、係合突部６７が、下方に位置する突出部２８の傾斜部分２８ａに当接して、係合突部６７と係合溝部５７との係合が解除されるとともに、第３バネ１４の付勢力によって、移動部材６０は、切欠２６を有して側面２２ｃを画成する側板に近接し、係合突部６７が表示板５０の空間部５５の内部に位置する。その後、軸部材４０の係合凸部４２が第２隔壁部６４ｂに当接し、係合凸部４２と第２係合凹部６２とが係合し、青色に着色された第２表示部５２（図２参照）が表示窓２３から露出する。
【００３４】
次いで、屋外に出た第三者が、枠２に対して扉１を閉め、扉１と枠２とを対向状態にした後、正規の鍵を使用して施錠装置を施錠状態とする。すると、図１４に示すように、進退部４４と、固定壁である枠２の固定板２ａとが当接し、第１バネ１２（図２参照）の付勢力に抗して、軸部材４０の進退部４４の基端が本体Ｂの内部空間１１に退行し、移動部材６０は、切欠２６を有して側面２２ｃを画成する側板から離れ、係合突部６７が表示板５０の空間部５５の外部に突出する。この状態でも、青色に着色された第２表示部５２が表示窓２３から露出されている状態が維持される。
【００３５】
その後、帰宅し、屋外にいる使用者が正規の鍵を使用して施錠装置を解錠状態とした後、枠２に対して扉１を開け、扉１と枠２とを非対向状態にする。すると、図１５に示すように、第１バネ１２（図２参照）の付勢力によって、軸部材４０の進退部４４の基端が、本体Ｂの内部空間１１から進出する。このため、軸部材４０の係合凸部４２が、隔壁非存在領域６５ｂに位置することとなる。これにより、図１６に示すように、第２バネ１３の付勢力によって、移動部材６０およびインジケータ５４を含む表示板５０が上方へ移動する。移動部材６０および表示板５０が上方へ移動すると、係合突部６７が、上方に位置する突出部２８の傾斜部分２８ａに当接して、係合突部６７と係合溝部５７との係合が解除されるとともに、第３バネ１４の付勢力によって、移動部材６０は、切欠２６を有して側面２２ｃを画成する側板に近接し、係合突部６７が表示板５０の空間部５５に位置する。その後、軸部材４０の係合凸部４２が、移動部材６０の下方に位置する第１壁６９ａに当接するとともに、表示板５０の上端５０ａが、上方の側面２２ａを画成する側板に当接して、表示板５０および移動部材６０の上方への移動が規制され、係合凸部４２と第３係合凹部６３とが係合し、赤色に着色された第３表示部５３が表示窓２３から露出する。
【００３６】
仮に、第三者が、枠２に対する扉１の開閉をしていなければ、使用者が帰宅したとき、表示窓２３から第２表示部５２が露出しているはずであるが、表示窓２３から第３表示部５３が露出しているため、使用者は、自分が帰宅したとき、第三者が家に侵入したことが分かる。
【００３７】
換言すれば、この表示装置１０によれば、進退部４４が本体Ｂから進退することによってインジケータ５４が第１方向である縦方向Ｙの上方側から下方側へ移動して第１表示部５１、第２表示部５２、及び第３表示部５３が順に表示窓２３から露出するため、使用者による進退部４４の進退の回数と、表示窓２３から露出する表示部５１，５２，５３とが対応していなければ、第三者が進退部４４を進退したことが分かる。
【００３８】
別の表現をすると、この表示装置１０によれば、固定壁である枠２と、可動壁である扉１とが対向し、且つ表示窓２３から第１表示部５１が露出している状態において、扉１と枠２とが非対向状態となって進退部４４が本体Ｂから進退すると、表示窓２３から第２表示部５２が露出し、その後、扉１と枠２とが対向状態となっても、表示窓２３から第２表示部５２が露出した状態を維持し、さらにその後、扉１と枠２とが非対向状態となったとき、表示窓２３から第３表示部５３が露出するため、使用者による進退部４４の進退の回数と、表示窓２３から露出する表示部５１，５２，５３とが対応していなければ、第三者が進退部４４を進退したことが分かる。しかも、表示装置１０の本体Ｂを、可動壁である扉１に取り付けてあるため、使用者が、枠２に対して扉１を開けた（可動壁を移動させた）以外に、扉を開けた者（可動壁を移動させた第三者）の存在が分かる。
【００３９】
また、進退部４４の進退によって、表示板５０（インジケータ５４）は縦方向Ｙにおける上方側から下方側（第１方向）へ移動するが、操作部８０を操作することによって表示板５０の縦方向Ｙへの移動規制が解除され、表示板５０は縦方向Ｙにおける下方側から上方側（第１方向と反対方向（第１方向と異なる第２方向））へ移動するため、操作部８０を操作できる使用者は、表示窓２３から露出する表示部５１，５２，５３を変更することができる。換言すれば、この実施形態の表示装置１０によれば、表示板５０（インジケータ５４）の移動規制を解除する操作部８０をさらに有し、表示窓２３から第３表示部５３が露出している状態において、表示板５０の移動規制を解除し、表示窓２３から第１表示部５１又は第２表示部５２のいずれか一方のみを表示させる操作部８０を有するため、操作部８０を操作できる使用者は、表示窓２３から露出する表示部５１，５２，５３を変更することができる。
【００４０】
加えて、操作部８０は、本体Ｂが有するキーシリンダ８１と、キーシリンダ８１の旋回を可能とするキー８３とを備えるため、使用者以外の第三者によって、表示窓２３から露出する表示部５１，５２，５３が妄りに変わることを防止することができる。
【００４１】
また、軸部４１の係合板４３と蓋３０の肉厚部３２との間には、進退部４４の基端が、筐体２０の内部空間１１から外部へ突出するように付勢する第１バネ１２を配置してあるため、扉１と枠２との非対向状態において、進退部４４を筐体２０から確実に突出させることができる。
【００４２】
さらに、軸部材４０と蓋３０との間には、軸部材４０が横方向Ｘのみの移動するための係合板４３と、係合板４３に係合する係合凹部３３とを形成してあるため、軸部材４０の横方向Ｘへの移動を円滑にすることができる。
【００４３】
なお、上述した実施形態には、上述した表示装置１０を、第三者に対する家の侵入の有無に使用する例で説明した。しかし、この発明は、これに限られず、金庫、機密資料を保管する保管庫、管理者等の特定の人間しか入れないエリアの扉等にも使用することができる。
【００４４】
また、上記実施形態には、緑色に着色された第１表示部５１と、青色に着色された第２表示部５２と、赤色に着色された第３表示部５３とを有するインジケータ５４を備える表示装置１０を説明した。しかし、本発明は、それに限られず、第１表示部５１、第２表示部５２、および第３表示部５３の色は適宜変更してもよい。もちろん、表示部５１，５２，５３は、色に限られず、例えば第１表示部５１に「初期状態」という文字を記載し、第２表示部５２に「安全」という文字を記載し、第３表示部５３に「危険」という文字を記載してもよい。さらに、表示部５１，５２，５３は、文字に限られず、記号および絵等のデザインでもよい。加えて、表示部は、３つに限定されず、４つ以上でもよい。
【００４５】
さらに、上述した実施形態において、本体Ｂを、可動壁である扉１に取り付ける一方、固定壁である枠２に、進退部４４と当接する固定板２ａを取り付ける例を説明した。しかし、本発明は、それに限られず、固定壁である枠２に本体を取り付ける一方、可動壁である扉１に、進退部４４と当接する固定板を取り付けてもよい。
【００４６】
また、表示板５０が係合溝部５７を有する一方、移動部材６０が係合突部６７を有しているが、本発明はこれに限られず、表示板５０が係合突部を有する一方、移動部材６０が係合溝部を有してもよい。
【００４７】
さらに、上記実施形態には、操作部８０は、本体Ｂが有するキーシリンダ８１と、キーシリンダ８１の旋回を可能とするキー８３とを備えるものを説明した。しかし、この発明はそれに限られず、操作部８０は、本体Ｂから外面側へ突出するレバーを備え、該レバーの操作によってインジケータ５４の移動規制を解除するように構成してもよい。
【００４８】
これまでに説明した本発明は、少なくとも以下のように整理することができる。
第１発明は、表示窓と、本体に対して進退可能な進退部と、インジケータとを含む表示装置において、前記インジケータの移動規制を解除する操作部をさらに有し、前記インジケータは、第１方向へ並ぶ少なくとも第１表示部と第２表示部と第３表示部とを有し、前記進退部が前記本体から進退することによって前記インジケータが前記第１方向へ移動して前記第１表示部、前記第２表示部、及び前記第３表示部が順に前記表示窓から露出し、前記第３表示部が前記表示窓から露出した状態において、前記進退部が前記本体から進退しても前記インジケータの前記第１方向への移動が規制され、前記操作部を操作することによって前記インジケータの移動規制が解除されて前記インジケータが前記第１方向と異なる方向へ移動することを特徴とする。
第２発明は、表示窓と、本体に対して進退可能な進退部と、インジケータとを含む表示装置において、前記本体は、固定壁及び前記固定壁と対向する可動壁とのうちの一方である第１壁に取り付けられ、前記進退部は、前記固定壁と前記可動壁とのうちの他方である第２壁に向かって延び、前記第２壁に進退可能に当接し、前記インジケータは、少なくとも第１表示部と第２表示部と第３表示部とを有し、前記表示窓は、前記第１表示部、前記第２表示部及び前記第３表示部のうちのいずれか１つの表示部を露出し、前記固定壁及び前記可動壁が対向し、且つ前記表示窓から前記第１表示部が露出している状態において、前記固定壁と前記可動壁とが非対向状態となって前記進退部が前記本体から進退すると、前記表示窓から前記第２表示部が露出し、その後、前記固定壁と前記可動壁とが対向状態となっても、前記表示窓から前記第２表示部が露出した状態を維持し、さらにその後、前記固定壁と前記可動壁とが非対向状態となったとき、前記表示窓から前記第３表示部が露出することを特徴とする。
【００４９】
また、本発明には、少なくとも以下の実施態様がある。
（１）  前記インジケータの移動規制を解除する操作部をさらに有し、前記表示窓から前記第３表示部および前記第２表示部のいずれか一方が露出している状態において、前記インジケータの移動規制を解除し、前記表示窓から前記第１表示部を表示させる操作部を有する。
（２）前記操作部は、前記本体が有するキーシリンダと、前記キーシリンダの旋回を可能とするキーとを備える。
【符号の説明】
【００５０】
１      扉（可動壁（第１壁及び第２壁））
２      枠（固定壁（第１壁及び第２壁））
１０    表示装置
１１    内部空間
１２    第１バネ
１３    第２バネ
１４    第３バネ
２０    筐体
２３    表示窓
３０    蓋
３３    係合凹部
４０    軸部材
４２    係合凸部
４３    係合板
４４    進退部
５０    表示板
５１    第１表示部
５２    第２表示部
５３    第３表示部
５４    インジケータ
６０    移動部材
６１    第１係合凹部
６２    第２係合凹部
６３    第３係合凹部
６４ａ  第１隔壁部
６４ｂ  第２隔壁部
６５ａ  隔壁存在領域
６５ｂ  隔壁非存在領域
Ｘ      横方向
Ｙ      縦方向
Ｚ      前後方向
【図１】
2018031174.tif 000003
【図２】
2018031174.tif 000004
【図３】
2018031174.tif 000005
【図４】
2018031174.tif 000006
【図５】
2018031174.tif 000007
【図６】
2018031174.tif 000008
【図７】
2018031174.tif 000009
【図８】
2018031174.tif 000010
【図９】
2018031174.tif 000011
【図１０】
2018031174.tif 000012
【図１１】
2018031174.tif 000013
【図１２】
2018031174.tif 000014
【図１３】
2018031174.tif 000015
【図１４】
2018031174.tif 000016
【図１５】
2018031174.tif 000017
【図１６】
2018031174.tif 000018